(57)【要約】【課題】鉛蓄電池１からの漏液によって受け皿２に電解液６が蓄積された場合でも、鉛蓄電池１と受け皿２に蓄積された電解液６とを絶縁する部品を提供する。【解決手段】側面に凹部７を有する略三角錐状をし、底面は略直角二等辺三角形状をしており、該略直角二等辺三角形状の略中央部分には下方向に突出する足部８が形成されており、前記略直角二等辺三角形状をした前記底面の一部又は周囲には、下方向に突出する水切り用突起９が設けられている略三角錐状絶縁部品２０を、鉛蓄電池１の底面部分の四角に取付けて使用する。そして、水切り用突起９の断面を鋭角状にする。【選択図】          図１
2004178946.tif 000002
【特許請求の範囲】
【請求項１】
鉛蓄電池の底面部分の絶縁構造であって、前記鉛蓄電池の底面には複数本の足部を有しており、該足部の周囲には、下方向に突出する水切り用突起が設けられていることを特徴とする鉛蓄電池の底面部分の絶縁構造。
【請求項２】
前記水切り用突起は、断面が鋭角状をしていることを特徴とする請求項１記載の鉛蓄電池の底面部分の絶縁構造。
【請求項３】
鉛蓄電池の底面部分の絶縁部品であって、該絶縁部品は、前記鉛蓄電池の底面部の四角に取付けて使用するものであり、前記絶縁部品は側面に凹部を有する略三角錐状をしており、前記絶縁部品の底面は略直角二等辺三角形状をしており、該略直角二等辺三角形状の略中央部分には下方向に突出する足部が形成されており、前記略直角二等辺三角形状をした前記底面の一部又は周囲には、下方向に突出する水切り用突起が設けられていることを特徴とする鉛蓄電池の底面部分の絶縁部品。
【請求項４】
鉛蓄電池の底面部分の絶縁部品であって、該絶縁部品は、前記鉛蓄電池を乗せた状態で使用する皿状をしたものであり、前記絶縁部品の底面には下方向に突出する複数本の足部が形成されており、該足部の内側には穴部を有しており、該穴部の周囲には下方向に突出する水切り用突起が設けられていることを特徴とする鉛蓄電池の底面部分の絶縁部品。
【請求項５】
前記水切り用突起は、断面が鋭角状をしていることを特徴とする請求項３又は４記載の鉛蓄電池の底面部分の絶縁部品。
【発明の詳細な説明】
【０００１】
【発明の属する技術分野】
本発明は、鉛蓄電池の絶縁構造及び絶縁部品に関するものである。
【０００２】
【従来の技術】
鉛蓄電池は安価であり、信頼性が高いという特徴を有するために、自動車用バッテリや無停電電源装置などにおいて広く使用されている。これらの鉛蓄電池には、希硫酸電解液を使用している。そして、希硫酸電解液の漏液時の対策として、一般的には図５に示されるように、鉛蓄電池１を有底の受け皿２等に乗せた状態で使用している（例えば、実用新案公報１参照。）。
【０００３】
ここで、希硫酸電解液の漏液は、大電流で充電された場合などの誤った使用がされた場合や、極めて低温の雰囲気中で充電された場合や、非常に大きな衝撃を受けた場合に起こりやすい。そして、何らかの不具合によって端子３や電解液栓４から電解液が染みだしたり、最悪の場合としては電槽５が破損して電解液が外部に漏液する場合がある。このような場合でも、受け皿２があれば、この部分に希硫酸電解液が蓄積されるために、通常は希硫酸電解液が鉛蓄電池の外部へ漏れ出して機器のケース等を腐食させることはない。
【０００４】
【実用新案公報１】
実公昭４９−２３４１号公報（第１、２図）
【０００５】
【発明が解決しようとする課題】
しかしながら、図５に示されるような、有底をした受け皿２に鉛蓄電池を乗せた状態で使用され、漏液した電解液が受け皿２に蓄積されたような場合には、蓄積された電解液の部分に電流が流れて発熱する場合が認められている。
【０００６】
例えば、図示されてはいないが、複数個の鉛蓄電池を直列接続した状態で１個の受け皿２に乗せて使用するような場合がある。そして、複数個の鉛蓄電池から漏液したような場合には、漏液した鉛蓄電池間に大きな電圧がかかっており、その結果、大きな短絡電流が流れて、最悪の場合には発火や発煙を起こす場合も認められている。
【０００７】
本発明の目的は、鉛蓄電池から漏液した希硫酸電解液が受け皿２に蓄積されたような場合でも、短絡電流が流れることを防止することができる鉛蓄電池の底面部分の絶縁構造及び絶縁部品を提供するものである。
【０００８】
【課題を解決するための手段】
上記した課題を解決するために、鉛蓄電池の底面部分に水切り用突起９を形成することによって、鉛蓄電池と有底をした受け皿２との間を絶縁するようにしたものである。そして、複数個の鉛蓄電池から漏液し、希硫酸電解液が受け皿２に蓄積されたような場合でも、漏液した鉛蓄電池間に短絡電流が流れるのを防止することができる。
【０００９】
すなわち、請求項１の発明は、鉛蓄電池の底面部分の絶縁構造であって、前記鉛蓄電池の底面には複数本の足部を有しており、該足部の周囲には、下方向に突出する水切り用突起が設けられていることを特徴としている。
【００１０】
請求項２の発明は、請求項１記載の発明において、前記水切り用突起は、断面が鋭角状をしていることを特徴としている。
【００１１】
請求項３の発明は、鉛蓄電池の底面部分の絶縁部品であって、該絶縁部品は、前記鉛蓄電池の底面部の四角に取付けて使用するものであり、前記絶縁部品は側面に凹部を有する略三角錐状をしており、前記絶縁部品の底面は略直角二等辺三角形状をしており、該略直角二等辺三角形状の略中央部分には下方向に突出する足部が形成されており、前記略直角二等辺三角形状をした前記底面の一部又は周囲には、下方向に突出する水切り用突起が設けられていることを特徴としている。
【００１２】
請求項４の発明は、鉛蓄電池の底面部分の絶縁部品であって、該絶縁部品は、前記鉛蓄電池を乗せた状態で使用する皿状をしたものであり、前記絶縁部品の底面には下方向に突出する複数本の足部が形成されており、該足部の内側には穴部を有しており、該穴部の周囲には下方向に突出する水切り用突起が設けられていることを特徴としている。
【００１３】
請求項５の発明は、請求項３又は４記載の発明において、前記水切り用突起は、断面が鋭角状をしていることを特徴としている。
【００１４】
【発明の実施の形態】
以下において、本発明に係わる特徴部分である水切り用突起９を有する絶縁構造及び絶縁部品を用いた場合の実施の形態を図１〜４を用いて詳細に説明する。なお、通常は本発明に係わる絶縁部品の下方には、図５に示すような有底の受け皿２が敷かれた状態で使用するものであるが、図１〜４において前記受け皿２についての図は省略されている。
【００１５】
【実施例】
以下において、本発明の一実施例を説明する。
【００１６】
（実施例１）
本発明に係わる実施例１について、図１，２を用いて詳細に説明する。実施例１では、図１に示されているように、鉛蓄電池の底面部分の四角に、計４個の略三角錐状絶縁部品２０を取付けて絶縁性を確保するものである。
【００１７】
ここで、図１に示されているように略三角錐状絶縁部品２０は、略三角形状をした三面の側面のうちの一の側面が存在せず、その部分は凹部７を有しており、該凹部７は鉛蓄電池の底面部の四角の部分のいずれかと当接するものである。そして、略三角錐状絶縁部品２０の底面は略直角二等辺三角形状をしており、該略直角二等辺三角形状の中央部分には下方向に突出する足部８が形成されている。この足部８によって、上記した図示されていない受け皿２と鉛蓄電池の底面部分とを一定の間隔に保つことができる。
【００１８】
加えて、略三角錐状絶縁部品２０の底面の斜辺部分には、足部８の内側に、下方向に突出し、断面が鋭角状をした連続する水切り用突起９を設けるようにした。なお、水切り用突起９の角度は鋭角状でなくても本発明の目的を達成することは可能であるが、水切り用突起９の角度を鋭角状にすることによって電解液６の切れをさらに良好にすることができる。
【００１９】
例えば、図２に示すように、何らかの原因で希硫酸の電解液６が上方から略三角錐状絶縁部品２０に流れ落ちたような場合でも、電解液６は水切り用突起９の部分から、図示されていない有底をした受け皿の部分に落とすようにできる。そして、絶縁部品の形状を略三角錐状にすることによって、より短時間で漏液した電解液６を水切り用突起９の部分に導くことができる。
【００２０】
ここで、多少の電解液６が漏れた場合でも、略三角錐状絶縁部品２０の足部８によって、受け皿に蓄積した電解液６と鉛蓄電池とを電気的に絶縁することができる。したがって、受け皿に蓄積した電解液６の部分に、鉛蓄電池からの電位がかかることもない。すなわち、本発明に係わる略三角錐状絶縁部品２０を用いることによって、受け皿に蓄積した電解液６に短絡電流が流れて、最悪の場合には発火や発煙を起こすことはない。なお、実験によって、足部８の高さを５ｍｍ以上にすれば、電槽５に割れが生じて電解液が漏液したような場合でも、受け皿に蓄積した電解液６に短絡電流が流れる現象は、ほとんど起こらなくできることを確認した。
【００２１】
ここで、絶縁部品として、図１、２に示されるような略三角錐状絶縁部品２０を鉛蓄電池の底面部の四角に取り付けて用いている。したがって、鉛蓄電池の寸法・品種等の形状の如何に関わらず同一部品を使用することができ、絶縁性を確保することができる。すなわち、同一形状の略三角錐状絶縁部品２０を、いろいろな品種の鉛蓄電池に使用することができる。
【００２２】
なお、本実施例１では、鉛蓄電池の底面部の四角に略三角錐状絶縁部品２０を後付けする場合を示したが、図３に示すように同様の形状を電槽５のインサート成形時に電槽と一体化して形成することができることは言うまでもない。なお、この場合には、足部８の上方の電槽５の破損等による漏液も予想されるために、足部８の周囲を囲むように連続する水切り用突起９を設けるのが有効である。
【００２３】
（実施例２）
本発明に係わる実施例２について、図４を用いて詳細に説明する。実施例２では図４に示されているように、鉛蓄電池の底面に皿状をした、皿状絶縁部品３０を取付けて絶縁性を確保するものである。
【００２４】
ここで、皿状絶縁部品３０は、底面部の中央部分が存在しない穴部１０を有するものである。なお、図４では底面部の中央部分に大きな穴部１０を有する構造を示しているが、複数個の穴部１０を有する構造にすることもできる。そして、皿状絶縁部品３０の底面の四角には、下方向に突出する４本の足部８が形成されており、該足部８によって上記した図示されていない受け皿と鉛蓄電池の底面とを一定の間隔に保つことができる。
【００２５】
加えて、足部８よりも内側に形成した穴部１０の周囲には、下方向に突出し断面が鋭角状をした連続する水切り用突起９を設けるようにした。なお、水切り用突起９の角度は鋭角状でなくても本発明の目的を達成することは可能であるが、この角度を鋭角状にすることによって電解液６の切れをさらに良好にすることができる。
【００２６】
例えば、何らかの原因で希硫酸の電解液６が上方から皿状絶縁部品３０に流れ落ちたような場合でも、電解液６は水切り用突起９の部分から、図示されていない有底をした受け皿２の部分に落とすようにできる。したがって、多少の電解液が漏れた場合でも、実施例１の場合と同様に、受け皿２に蓄積した電解液６に鉛蓄電池からの電位がかかることはない。すなわち、本発明に係わる皿状絶縁部品３０を用いることにより、受け皿に蓄積した電解液６に短絡電流が流れて、最悪の場合には発火や発煙を起こす場合はない。なお、実験によって、足部８の高さを５ｍｍ以上にすれば、電槽５に割れが生じて電解液が漏液した場合でも、受け皿に蓄積した電解液６に短絡電流が流れることは、ほとんどなくできることを確認した。
【００２７】
【発明の効果】
上述したように、本発明に係わる絶縁構造又は絶縁部品を用いると、鉛蓄電池から電解液が漏れて受け皿に蓄積したような場合でも、鉛蓄電池と受け皿に蓄積した電解液とを絶縁することができるために優れたものである。
【図面の簡単な説明】
【図１】実施例１に係わる略三角錐状絶縁部品を用いた鉛蓄電池の概略図である。
【図２】実施例１に係わる略三角錐状絶縁部品の要部概略図である。
【図３】実施例１に係わる電槽と一体化した絶縁構造の要部概略図である。
【図４】実施例２に係わる皿状絶縁部品を用いた鉛蓄電池の概略図である。
【図５】従来から使用されている受け皿に鉛蓄電池を乗せた状態の概略図である。
【符号の説明】
１：鉛蓄電池、２：受け皿、３：端子、４：電解液栓、５：電槽、６：電解液、７：凹部、８：足部、９：水切り用突起、１０：穴部、
２０：略三角錐状絶縁部品、３０：皿状絶縁部品
【図１】
2004178946.tif 000003
【図２】
2004178946.tif 000004
【図３】
2004178946.tif 000005
【図４】
2004178946.tif 000006
【図５】
2004178946.tif 000007